(57)【要約】【課題】振動等によって脱落する可能性が極めて低く、裏側から実装された回路素子を容易に視認することのできる画像表示装置を提供すること。【解決手段】入力する画像情報に応じて光学像を形成する画像形成領域３１１を有する表示装置本体３１を備えた画像表示装置３は、表示装置本体３１の裏側に画像形成領域３１１に沿って延出するように配置され、この表示装置本体３１の駆動制御を行うメイン基板３４と、このメイン基板３４の回路素子実装面に設けられたコネクタ３４２、３５２と接続され、回路素子実装面から起立するように配置されるサブ基板３５と、コネクタ３４２、３５２に差し込まれたサブ基板３５の倒れ方向の動きを抑える保持手段３６３とを備えている。【選択図】図２
2010119873.tif 000002
【特許請求の範囲】
【請求項１】
入力する画像情報に応じて光学像を形成する画像形成領域を有する表示装置本体を備えた画像表示装置であって、
前記表示装置本体の裏側に前記画像形成領域に沿って延出するように配置され、この表示装置本体の駆動制御を行うメイン基板と、
このメイン基板の回路素子実装面に設けられたコネクタと接続され、前記回路素子実装面から起立するように配置されるサブ基板と、
前記コネクタに差し込まれた前記サブ基板の倒れ方向の動きを抑える保持手段とを備えていることを特徴とする画像表示装置。
【請求項２】
請求項１に記載の画像表示装置において、
前記表示装置本体の裏面には、前記メイン基板及び前記サブ基板を覆うカバー部材を備え、
前記保持手段は、このカバー部材に一体的に形成されていることを特徴とする画像表示装置。
【請求項３】
請求項２に記載の画像表示装置において、
前記保持手段は、前記カバー部材が装着されたときに、前記サブ基板の起立方向端部を挟むように配置される一対の突起と、この一対の突起の外周の一部を切り欠いて形成され、前記一対の突起を面外方向に変形可能とすることで、前記サブ基板を前記メイン基板側に付勢する付勢部とを備えていることを特徴とする画像表示装置。
【請求項４】
請求項２に記載の画像表示装置において、
前記保持手段は、前記サブ基板の配置に応じて前記カバー部材の内側に設けられ、前記カバー部材が装着されたときに、前記サブ基板の起立方向端部を前記メイン基板側に付勢する弾性部材から構成されていることを特徴とする画像表示装置。
【請求項５】
請求項１に記載の画像表示装置において、
前記保持手段は、前記コネクタに沿って前記メイン基板上に取り付けられ、前記コネクタの接続部分を跨るように設けられる剛体部と、この剛体部から前記サブ基板の端部に延び、前記サブ基板の端部を係止する把持部とを備えていることを特徴とする画像表示装置。
【請求項６】
請求項１〜請求項５のいずれかに記載の画像表示装置において、
前記サブ基板には、前記画像形成領域に表示させるキャラクタが記録されたメモリが実装されていることを特徴とする画像表示装置。
【発明の詳細な説明】
【技術分野】
【０００１】
本発明は、入力する画像情報に応じて光学像を形成する画像形成領域を有する表示装置本体を備えた画像表示装置に関する。
【背景技術】
【０００２】
近年、液晶パネル、プラズマディスプレイ、有機ＥＬディスプレイ等の薄型、小型軽量の画像表示装置が普及しており、パチンコ、パチスロ等の遊技機においてもこのような小型軽量の画像表示装置が広く普及している。
例えば、パチンコの場合、スタートチャッカに球が入賞すると、パチンコ遊技機に内蔵される制御装置によって抽選が開始され、抽選の結果大当たりとなると、盤面上の所定位置に設けられた扉が開口し、入賞球を飛躍的に増大させて、たくさんの球が遊技者に払い出される。このようなパチンコ遊技機において、画像表示装置は、抽選中に所定の絵柄の組合せを表示し、当たり、外れの抽選結果を表示するとともに、大当たり中は、種々の絵柄を表示して遊技者を楽しませてくれるものである。
【０００３】
このような遊技機に使用される画像表示装置は、光学像を形成する画像形成領域を有する表示装置本体と、この表示装置本体の駆動制御を行うメイン基板とを備えて構成され、メイン基板上には、画像形成領域上の液晶素子を駆動するドライバＩＣ、表示制御を行うＭＰＵの他、抽選中の絵柄の動画表示を行ったり、抽選結果に基づく絵柄表示を行ったりするために、ＣＧＲＯＭ（Character Generator Read Only Memory）等の表示キャラクタを格納したメモリが実装されることがある。
【０００４】
ところで、遊技機に使用される画像表示装置は、遊技機を不正に改造して球数を出したりしないように、その仕様に関して法律上厳格な規定が設けられ、これに適合するものでなければならない。例えば、このような画像表示装置は、表示装置本体の裏側に沿ってメイン基板が配置され、このメイン基板を透明なケースで覆い、そのケースに封印を施すことにより、メイン基板上に実装された回路素子を簡単に交換できないようになっている。また、メイン基板上に実装された回路素子は透明なケースを介して外部からすべて視認可能な状態となっていなければならない。
一方で近年、遊技機における画像表示は３Ｄ画像を含め複雑化しており、メインボード上に実装しなければならない回路素子も増加している。
【０００５】
増加する回路素子を効率よく省スペースで実装するには、メイン基板とサブ基板を積層することが考えられるが、上記のように外部からすべて視認可能な状態とすることができない。
このため、メイン基板上にボードツーボードコネクタを配置し、サブ基板端部にもこのコネクタを取り付け、メイン基板上にサブ基板を垂直に立設した状態で接続することが考えられる（例えば、特許文献１参照）。
このような接続であれば、サブ基板の間からメイン基板上に実装された回路素子を外部から視認できるので、上記の問題を解決することができる。
【先行技術文献】
【特許文献】
【０００６】
【特許文献１】特開平６−１６９１８７号公報（図１、図３参照）
【発明の概要】
【発明が解決しようとする課題】
【０００７】
しかしながら、前記文献記載の技術では、メイン基板とサブ基板とをボードツーボードコネクタで接続したに過ぎないため、サブ基板の重さ等によっては、振動等でサブ基板が脱落してしまう可能性がある。特に、パチンコ台等の遊技機においては、遊技盤等を開閉することがあり、この際の振動によって脱落するおそれが高い。
【０００８】
本発明の目的は、振動等によって脱落する可能性が極めて低く、裏側から実装された回路素子を容易に視認することのできる画像表示装置を提供することにある。
【課題を解決するための手段】
【０００９】
本発明の画像表示装置は、入力する画像情報に応じて光学像を形成する画像形成領域を有する表示装置本体を備えた画像表示装置であって、前記表示装置本体の裏側に前記画像形成領域に沿って延出するように配置され、この表示装置本体の駆動制御を行うメイン基板と、このメイン基板の回路素子実装面に設けられたコネクタと接続され、前記回路素子実装面から起立するように配置されるサブ基板と、前記コネクタに差し込まれた前記サブ基板の倒れ方向の動きを抑える保持手段とを備えていることを特徴とする。
【００１０】
ここで、コネクタとしては、基板と基板とを直接接続するいわゆるボードツーボードコネクタを採用するのが好ましい。
この発明によれば、メイン基板の実装面から起立するようにサブ基板を設けても、保持手段によりサブ基板の倒れ方向の動きを規制することができるので、画像表示装置に振動等が作用しても、サブ基板がメイン基板上に設けられたコネクタから外れることを防止することができる。従って、画像表示装置の裏側から観察すれば、サブ基板上に実装された回路素子を視認することができ、さらには、その下のメイン基板上に実装された回路素子をも視認することができ、かつ、サブ基板の脱落を防止することができ、パチンコ等の遊技機に用いられる画像表示装置として好適である。
【００１１】
本発明では、表示装置本体の裏面に、メイン基板及びサブ基板を覆うカバー部材が設けられている場合、前述した保持手段は、このカバー部材に一体的に形成されているのが好ましい。
ここで、カバー部材は合成樹脂等で成形された透明なものを採用するのが好ましく、ノイズ防止のために、カバー部材内面にＩＴＯ等の導電性皮膜を形成したものを採用することができる。
この発明によれば、保持手段がカバー部材に一体的に形成されていることにより、カバー部材を装着すれば、直ちにサブ基板を保持することができるので、画像表示装置の組立性が大幅に向上する。
【００１２】
本発明では、保持手段がカバー部材と一体的に形成されている場合、保持手段としては、カバー部材が装着されたときに、サブ基板の起立方向端部を挟むように配置される一対の突起と、この一対の突起の外周の一部を切り欠いて形成され、一対の突起を面外方向に変形可能とすることで、サブ基板をメイン基板側に付勢する付勢部とを備えた構成を採用することができる。
この発明によれば、合成樹脂等でカバー部材を成形する場合、カバー部材の成形と同時に保持手段をカバー部材に一体的に形成することができるため、保持部材及びカバー部材の構造の簡単化及び製造容易性が向上する。
【００１３】
本発明では、保持手段がカバー部材と一体的に形成されている場合、保持手段としては、サブ基板の配置に応じてカバー部材の内側に設けられ、カバー部材が装着されたときに、サブ基板の起立方向端部をメイン基板側に付勢する弾性部材で構成することができる。
ここで、弾性部材としては、ウレタンゴムやゴム弾性を有する合成樹脂製の発泡弾性材料を採用することができる。
この発明によれば、カバー部材の内側に弾性材料を接着剤等で貼り付けて一体化するだけで、サブ基板の倒れ方向の動きを規制して保持手段として機能させることができるため、カバー部材に保持手段を簡単に設けることが可能となる上、カバー部材に切欠等を形成する必要がないので、カバー部材内部に塵埃等が侵入することも防止することができる。
【００１４】
本発明では、保持手段としては、コネクタに沿ってメイン基板上に取り付けられ、コネクタの接続部分を跨るように設けられる剛体部と、この剛体部からサブ基板の端部に延び、サブ基板の端部を係止する係止部とを備えた構成を採用することができる。
この発明によれば、カバー部材の有無によらずに保持手段を設けることが可能となり、サブ基板の大きさもカバー部材によらず設定することができるため、メイン基板及びサブ基板の組合せの自由度が大幅に向上する。また、剛体部がコネクタの接続部分を跨るように設けられているため、振動等によってもコネクタからサブ基板が脱落することを確実に防止することができる。
【図面の簡単な説明】
【００１５】
【図１】本発明の第１実施形態に係る画像表示装置を用いたパチンコ遊技機の概略を表す正面図。
【図２】前記実施形態における画像表示装置の構造を表す断面図。
【図３】前記実施形態における保持手段の構造を表す要部断面図。
【図４】本発明の第２実施形態に係る画像表示装置の保持手段の構造を表す要部断面図。
【図５】本発明の第３実施形態に係る画像表示装置の保持手段の構造を表す要部断面図。
【図６】本発明の第４実施形態に係る画像表示装置の保持手段の構造を表す要部断面図。
【図７】本発明の第５実施形態に係る画像表示装置の構造を表す断面図。
【図８】本発明の第６実施形態に係る画像表示装置の保持手段の構造を表す平面図。
【発明を実施するための形態】
【００１６】
次に、本発明の実施の形態を図面に基づいて説明する。
〔１〕第１実施形態
(1-1)パチンコ遊技機１の概略構成
図１には、本発明の第１の実施形態に係るパチンコ遊技機１の概略構成が示されている。このパチンコ遊技機１は、遊技盤２及び画像表示装置３を備えて構成され、図示を略したが、遊技盤２上は透明なガラス板によって覆われ、遊技盤２の右下部分には、パチンコ球を発射する発射装置が設けられている。また、遊技盤２の裏面側には、後述するスタートチャッカにより開始される大当たり抽選を行う制御装置が設けられている。
遊技盤２は、化粧合板等から構成され、この遊技盤２上には、図示しない複数の釘が植設されているとともに、ＬＥＤ等からなる電飾２１、複数の入賞孔２２、スタートチャッカ２３、及び、通常は蓋によって覆われた大当たり入賞口２４が設けられている。
【００１７】
画像表示装置３は、遊技盤２の略中央に形成された開口部に嵌め込まれ、画像を形成する画像形成領域が遊技盤２の表側に露出している。
このようなパチンコ遊技機１では、発射装置からパチンコ球を発射して、入賞孔２２に入賞すると、所定個数のパチンコ球が払い戻しされる。また、スタートチャッカ２３に入賞すると、制御装置は、抽選を行って大当たりか否かの判定を行う。抽選が開始されると、画像表示装置３は、画像形成領域に表示された絵柄を変化させ、抽選状態にあることを表示し、併せて制御装置からの制御指令により、電飾２１等を点滅させ、遊技者に大当たりの期待を持たせて楽しませる。
【００１８】
抽選の結果は、画像表示装置３上の画像形成領域に絵柄の組合せとして表示され、例えば、表示された絵柄のすべてが同じものである場合、大当たりとなる。大当たりとなると、大当たり入賞口２４の蓋が開き、遊技者はそのままパチンコ球を打ち続けると、殆どのパチンコ球がこの大当たり入賞口２４に入賞し、たくさんのパチンコ球が遊技者に払い出される。大当たり中は、画像表示装置３の画像形成領域には、大当たりであることを示す動画等が表示され、この間、遊技者は動画等を見ながら楽しむことができる。尚、制御装置による抽選方法には、大当たり終了後、再度抽選を行って高確率モードに移行し、大当たりが出やすくなるものもある。
【００１９】
(1-2)画像表示装置３の構造
このようなパチンコ遊技機１に用いられる画像表示装置３は、図２に示すように、表示装置本体３１、枠体３２、固定板３３、メイン基板３４、サブ基板３５、及びカバー部材３６を備えて構成される。
表示装置本体３１は、その画像形成領域３１１が遊技盤２の表側に露出して設けられ、この画像形成領域３１１の部分に、制御装置による抽選に応じた絵柄が表示される。本例においては、表示装置本体としては、液晶表示装置が採用される。この液晶表示装置は、図示を略したが、画像形成領域に配置される液晶パネルと、この液晶パネルを裏面側から照明する冷陰極管からなるバックライトを備えて構成されている。
【００２０】
枠体３２は、その略中央に画像形成領域３１１を露出させるための開口部が形成され、周縁部を遊技盤２の裏側方向に折曲加工した板金部材であり、画像表示装置３は、この枠体３２によって遊技盤２に固定される。尚、図示を略したが、この枠体３２はＧＮＤに接続されており、画像表示装置３の画像形成領域３１１が帯電して塵埃が付着しないようになっている。また、枠体３２の裏側には、表示装置本体３１及びメイン基板３４を囲むように起立片３２１が折曲形成され、さらに起立片３２１の先端部分は、内側に折り曲げた折曲片３２２が全体に亘って形成されている。
固定板３３は、メイン基板３４を固定する台座として機能し、周縁部を折曲加工した板金部材から構成される。この固定板３３は、枠体３２の内部に収納され、表示装置本体３１の裏面に沿って配置される。また、固定板３３の周囲には、折曲加工により形成された受部３３１が形成され、この受部３３１にメイン基板３４が固定される。
【００２１】
メイン基板３４は、前述した表示装置本体３１の駆動制御を行う回路基板であり、このメイン基板３４は、図示を略したパチンコ遊技機１の大当たり抽選を行う制御装置と電気的に接続される。
このメイン基板３４には、ＭＰＵ、ドライバＩＣを含む種々の回路素子３４１が実装されており、メイン基板３４は、回路素子３４１を実装した面を、画像表示装置３の裏側に向けて配置され、前記の固定板３３に固定されている。尚、メイン基板３４の固定板３３への固定は、メイン基板３４の端部に孔を形成しておき、固定板３３の受部３３１に形成されたねじ孔に対して、固定ねじ３４３を螺合することによって行われる。
また、本実施形態では、メイン基板３４の略中央にボードツーボードコネクタを構成するレセプタクル３４２が設けられている。
【００２２】
サブ基板３５は、メイン基板３４の回路実装面に対して面外方向に起立するように接続され、サブ基板３５には、画像形成領域３１１で表示するキャラクタを格納するＣＧＲＯＭ３５１が実装されている。
サブ基板３５のＣＧＲＯＭ３５１の実装面裏側には、ボードツーボードコネクタを構成するプラグ３５２が実装され、このプラグ３５２がレセプタクル３４２に接続されることにより、ＣＧＲＯＭ３５１のＣＧＲＯＭ３５１内に格納された情報をメイン基板３４のＭＰＵ等で利用することができるようになる。
【００２３】
メイン基板３４及びサブ基板３５の接続をこのような構成とすることにより、サブ基板３５上のＣＧＲＯＭ３５１等の実装された回路素子は側面から視認でき、メイン基板３４上に実装された回路素子３４１はサブ基板３５を避けた斜め上方の位置から視認することができるため、パチンコ遊技機１に要求される画像表示装置３に組み込まれる回路素子の視認性を確保することができる。
また、ＣＧＲＯＭ３５１をサブ基板３５に実装することにより、表示装置本体３１で表示する絵柄を変更する際には、このサブ基板３５を交換するだけでよく、旧型機種の機種変更を行う際の作業手間を大幅に低減することができる。
【００２４】
カバー部材３６は、透明な合成樹脂製の箱状体から構成され、その外周端縁全体に形成された鍔部３６１が枠体３２の折曲片３２２と当接し、固定ねじ３６２によって枠体３２に固定されている。尚、図示を略したが、カバー部材３６及び枠体３２には、例えば、その外周面を跨ぐように、封印となる紙が貼られ、カバー部材３６を枠体３２から取り外すと、この封印が破られ、開けられたことが判るようになっている。
【００２５】
(1-3)保持手段の構造
このようなカバー部材３６の内面には、図３に示すように、サブ基板３５の位置に対応する位置に保持手段が一体的に形成されている。この保持手段は、サブ基板３５の延出方向に沿って延びる一対の突条３６３として構成され、一対の突条３６３間にサブ基板３５が挿入されることによって、サブ基板３５の倒れを防止することが可能となる。尚、この一対の突条３６３は、カバー部材３６を射出成形する際に、同時に形成することが可能であり、保持手段としては、連続する突条である必要は必ずしもなく、サブ基板３５を挟み込むような位置に間欠的に突部を一体形成してもよい。
【００２６】
また、カバー部材３６を枠体３２に固定すると、サブ基板３５の端面が、カバー部材３６の内面によって軽く押さえつけられるように当接し、これら一対の突条３６３と、カバー部材３６の当接とによってサブ基板３５の倒れが防止される。
このように、カバー部材３６内に保持手段としての一対の突条３６３を一体的に形成することにより、カバー部材３６を枠体３２に装着固定するだけで、一対の突条３６３をサブ基板３５の保持手段として機能させることができるため、画像表示装置３の組立性が大幅に向上する。また、カバー部材３６に内外を貫通するような切欠を形成する必要もないので、カバー部材３６内部の密閉性を確保することができ、内部に塵埃等が侵入することも防止できる。
【００２７】
〔２〕第２実施形態
次に、本発明の第２実施形態について説明する。尚、以下の説明では既に説明した部分又は部材等については、その説明を省略又は簡略する。
前述の第１実施形態では、サブ基板３５の倒れを防止する保持手段は、カバー部材３６の内面に一体形成した一対の突条３６３として構成していた。
これに対して、第２実施形態では、図４に示すように、保持手段をカバー部材４６と一体形成する点については同様だが、一対の突条４６３の回りに切欠４６４を形成し、一対の突条４６３が形成されたカバー部材４６の底面部分を付勢部４６５としている点が相違する。
【００２８】
すなわち、第２実施形態に係る保持手段は、カバー部材４６の内面に突出形成した一対の突条４６３と、この突条４６３の形成位置に応じたカバー部材４６底面部分からなる付勢部４６５とを備えて構成される。
突条４６３は、第１実施形態の場合と同様に、サブ基板３５の延出方向に沿って延び、切欠４６４は、一対の突条４６３を囲む矩形のうち、サブ基板３５の延出方向に沿った辺の一方を残して形成されており、残りの一辺の部分が撓むことによって、カバー部材４６の底面部分が付勢部４６５として機能することとなる。このため、図示を略したが、箱状のカバー部材４６の内面深さ寸法は、カバー部材４６を枠体に固定すると、メイン基板にサブ基板３５を接続した際の高さ寸法よりも、僅かに小さい寸法に設定されている。
【００２９】
このような第２実施形態に係る保持手段によっても、第１実施形態に係る作用及び効果と同様の作用及び効果を奏する上、カバー部材４６を画像表示装置の枠体に装着すると、付勢部４６５がカバー部材４６の底面部分から外側に突出する方向に撓み、これにより、サブ基板３５がメイン基板に対して付勢され、サブ基板３５のメイン基板に対する倒れを防止する。また、付勢部４６５によってサブ基板３５がメイン基板に付勢された状態が維持されるため、ボードツーボードコネクタの接続部分が押さえつけられることとなって確実な接続を維持することが可能となる。
【００３０】
〔３〕第３実施形態
次に、本発明の第３実施形態について説明する。
前述の第１実施形態では、保持手段として単に一対の突条３６３をカバー部材３６の内面に形成していた。
これに対して、第３実施形態に係るカバー部材５６は、図５に示すように、弾性部材５６３によって保持手段を構成している点が相違する。
すなわち、カバー部材５６の内面には、サブ基板３５の延出方向に沿って延び、サブ基板３５の厚さ寸法よりも十分に大きな一対の突条５６１が形成されていて、この突条５６１の内部に弾性部材５６３が装着されている。弾性部材５６３のカバー部材５６内面への装着は、接着剤又は両面テープでカバー部材５６の内面に固定することによって行う。
【００３１】
弾性部材５６３は、ウレタンゴムや、ウレタン発泡ゴム等の軟質材料から構成され、カバー部材５６を画像表示装置の枠体に装着すると、弾性部材５６３がサブ基板３５の端面に当接して変形する。サブ基板３５は、弾性部材５６３の変形により、倒れが防止されるとともに、弾性部材５６３の反発力によって付勢され、メイン基板上に押し付けられることとなる。
このような第３実施形態に係る保持手段によっても、第１実施形態と同様の効果を奏する上、カバー部材５６に弾性部材５６３を貼り付け固定するだけで、保持手段として機能させることができるため、保持手段を有する画像表示装置の組み立て作業の効率を損なうことがない。
【００３２】
〔４〕第４実施形態
次に、本発明の第４実施形態について説明する。
前述した第２実施形態に係る保持手段は、一対の突条４６３を囲む矩形のカバー部材４６の底面部分を切り欠いて付勢部４６５を形成していた。
これに対して、第４実施形態に係るカバー部材６６は、図６に示すように、カバー部材６６にサブ基板３５が挿入される切欠溝６６１を形成し、この切欠溝６６１間でサブ基板３５を突起によって挟持して保持手段を構成した点が相違する。
すなわち、切欠溝６６１は、サブ基板３５の厚さ寸法Ｔよりも大きな幅寸法Ｗ１に設定され、サブ基板３５の幅方向に直交するサブ基板３５の長さ寸法に略相当する長さの切欠として形成されている。
【００３３】
そして、切欠溝６６１の幅方向内周部分には、カバー部材６６を面外方向に断面Ｕ字状に曲折して形成される可撓部６６２がそれぞれ一体形成され、この可撓部６６２のＵ字先端部分に爪部６６３がそれぞれ一体形成され、これら可撓部６６２及び爪部６６３が保持手段として機能する。尚、両内周部分に形成された一対の爪部６６３は、サブ基板３５挿入方向端部がサブ基板３５側に向かって次第に離間するような傾斜面とされ、サブ基板３５を挿入し易くなっている。
このようなカバー部材６６では、枠体にカバー部材６６を装着すると、サブ基板３５が切欠溝６６１に挿入され、可撓部６６２が幅方向外側に拡がりながら、サブ基板３５の表裏面を一対の爪部６６３によって挟持し、可撓部６６２及び爪部６６３が保持手段として機能する。
このような第４実施形態に係る保持手段によっても、前述した第１〜第３実施形態で述べた効果と同様の作用及び効果を享受することができる。
【００３４】
〔５〕第５実施形態
次に、本発明の第５実施形態について説明する。
前述の第１〜第４実施形態では、保持手段は、カバー部材３６、４６、５６、６６と一体的に形成されていた。
これに対して、第５実施形態に係る画像表示装置７は、図７に示すように、メイン基板３４上に独立して保持手段７７を設けている点が相違する。すなわち、カバー部材７６は、底面部が平坦な箱状体として形成され、保持手段となるような突起は形成されていない。
【００３５】
保持手段７７は、ポリカーボネートやＡＢＳ樹脂等の絶縁性材料から構成され、基部７７１、剛体部としての起立部７７２、及び係止部７７３を備え、メイン基板３４の回路実装面に固定ねじ７７４によって取付固定されている。
基部７７１は、メイン基板３４の回路実装面に沿った方向のサブ基板３５の長さ寸法と略同じ寸法の長さ寸法を有し、その両端が固定ねじ７７４によって固定される。このため、メイン基板３４が支持固定される固定板７３は、メイン基板３４固定用の受部７３１の他、保持手段７７の配置に応じた位置に第２受部７３２が形成されており、固定ねじ７７４は、メイン基板３４を貫通して第２受部７３２に形成されたねじ孔に螺合固定される。
【００３６】
起立部７７２は、基部７７１から面外方向に起立する板状体として構成され、メイン基板３４に設けられるレセプタクル３４２と、サブ基板３５に設けられるプラグ３５２とを接続したときに、この矩形板状の起立部７７２がこれらの接続部分を跨るように配設され、剛体部として機能する。
係止部７７３は、矩形板状の起立部７７２の面外方向に突出する腕状体として構成され、起立部７７２の矩形の四隅部分に設けられ、装着されるサブ基板３５の四隅端部を把持するようになっている。係止部７７３の先端部分には曲折された爪部７７５が形成され、各爪部７７５は、メイン基板３４の法線方向側の両端を把持してサブ基板３５を保持する。
このような保持手段７７を取り付けるに際しては、サブ基板３５をメイン基板に装着した後、保持手段７７をサブ基板３５に取り付け、固定ねじ７７４によってメイン基板上に保持手段７７を固定する。
【００３７】
このような第５実施形態に係る保持手段７７によれば、カバー部材７６の有無によらず、サブ基板３５の倒れを防止することができるので、パチンコ遊技機のようなカバー部材７６が必須とされる画像表示装置７のみならず、これ以外の汎用の画像表示装置であっても、メイン基板３４に対して垂直に取り付けたサブ基板３５の脱落を確実に防止することができる。特に、剛体部としての起立部７７２がボードツーボードコネクタの接続部分に跨って配置されることとなるので、振動等によってメイン基板３４及びサブ基板３５の接続が外れることを確実に防止することができる。
【００３８】
〔６〕第６実施形態
次に、本発明の第６実施形態について説明する。
前述した第５実施形態に係る保持手段７７は、メイン基板３４の法線方向におけるサブ基板３５の両端を把持するように係止部７７３が形成されていた。
これに対して、第６実施形態に係る保持手段８７は、図８に示すように、メイン基板３４の回路実装面に沿った方向におけるサブ基板３５の両端を恥じするように係止部８７３が形成されている点が相違する。
【００３９】
すなわち、保持手段８７は、基部８７１及び起立部８７２は第５実施形態と略同様の構成を有し、固定ねじ７７４によってメイン基板３４を貫通して固定されている点も第５実施形態と同様であるが、係止部８７３は、メイン基板３４の回路実装面に沿った方向における両側端部に設けられている。各係止部８７３の先端は内側に折り曲げられて爪部８７５とされている。
このような第６実施形態に係る保持手段８７によれば、第５実施形態で述べた作用及び効果と同様の作用及び効果を享受することができる上、コネクタの接続方向から保持手段８７を差し込むことが容易となり、組立性が一層向上する。
【００４０】
〔７〕実施形態の変形
尚、本発明は前述した各実施形態に限定されるものではなく、次に示すような変形をも含むものである。
前記実施形態では、本発明に係る画像表示装置をパチンコ遊技機１に利用していたが、本発明はこれに限らず、いわゆるパチスロやアレンジボール等他の遊技機に本発明を適用してもよく、さらに、このような遊技機のみならず、一般の画像表示装置として本発明を採用することも可能である。
【００４１】
また、前記実施形態では、表示装置本体３１を液晶表示装置として構成していたが、これに限らず、有機ＥＬディスプレイ、プラズマディスプレイ等の自己発光型の画像表示装置に本発明を利用してもよい。尚、このような自己発光型の画像表示装置では、バックライトを必要としないので、より薄型化、軽量化を図ることができる。
さらに、前記実施形態では、サブ基板３５にＣＧＲＯＭ３５１を実装するように構成していたが、これに限らず、画像表示装置の制御に必要な回路素子であれば、他の回路素子をサブ基板に実装してもよい。
その他、本発明は、本発明の目的を達成できる範囲で他の構造等としてもよい。
【産業上の利用可能性】
【００４２】
本発明は、大当たり抽選機能を有するパチンコ遊技機の他、パチスロ機等他の遊技機に好適に利用することができる。
【符号の説明】
【００４３】
３…画像表示装置、３１…表示装置本体、３４…メイン基板、３５…サブ基板、７７、８７…保持手段、３１１…画像形成領域、３４２…レセプタクル（コネクタ）、３５１…ＣＧＲＯＭ（メモリ）、３５２…プラグ（コネクタ）、３６３、４６３…突条、４６５…付勢部、５６３…弾性部材、６６２…可撓部、６６３…爪部、７７１、８７２…起立部（剛体部）、７７３、８７３…係止部（把持部）。
【図１】
2010119873.tif 000003
【図２】
2010119873.tif 000004
【図３】
2010119873.tif 000005
【図４】
2010119873.tif 000006
【図５】
2010119873.tif 000007
【図６】
2010119873.tif 000008
【図７】
2010119873.tif 000009
【図８】
2010119873.tif 000010
【手続補正書】
【提出日】平成22年4月7日(2010.4.7)
【手続補正１】
【補正対象書類名】特許請求の範囲
【補正対象項目名】全文
【補正方法】変更
【補正の内容】
【特許請求の範囲】
【請求項１】
入力する画像情報に応じて光学像を形成する画像形成領域を有する表示装置本体を備えた画像表示装置であって、
前記表示装置本体の裏側に前記画像形成領域に沿って延出するように配置され、この表示装置本体の駆動制御を行うメイン基板と、
このメイン基板の回路素子実装面に設けられたコネクタと接続され、前記回路素子実装面から起立するように配置されるサブ基板と、
前記コネクタに差し込まれた前記サブ基板の倒れ方向の動きを抑える保持手段とを備え、
前記保持手段は、
前記コネクタに沿って前記メイン基板上に取り付けられ、前記コネクタの接続部分を跨るように設けられる剛体部と、
前記剛体部から前記サブ基板の端部に延び、前記サブ基板の端部を係止する把持部とを備えていることを特徴とする画像表示装置。
【請求項２】
請求項１に記載の画像表示装置において、
前記把持部は、前記メイン基板の法線方向における前記サブ基板の両端を把持することを特徴とする画像表示装置。
【請求項３】
請求項１に記載の画像表示装置において、
前記把持部は、前記回路素子実装面に沿った方向における前記サブ基板の両端を把持することを特徴とする画像表示装置。
【請求項４】
請求項１から請求項３のいずれかに記載の画像表示装置において、
前記サブ基板には、前記画像形成領域に表示させるキャラクタが記録されたメモリが実装されていることを特徴とする画像表示装置。
【手続補正２】
【補正対象書類名】明細書
【補正対象項目名】０００９
【補正方法】変更
【補正の内容】
【０００９】
本発明の画像表示装置は、入力する画像情報に応じて光学像を形成する画像形成領域を有する表示装置本体を備えた画像表示装置であって、前記表示装置本体の裏側に前記画像形成領域に沿って延出するように配置され、この表示装置本体の駆動制御を行うメイン基板と、このメイン基板の回路素子実装面に設けられたコネクタと接続され、前記回路素子実装面から起立するように配置されるサブ基板と、前記コネクタに差し込まれた前記サブ基板の倒れ方向の動きを抑える保持手段とを備え、前記保持手段は、前記コネクタに沿って前記メイン基板上に取り付けられ、前記コネクタの接続部分を跨るように設けられる剛体部と、前記剛体部から前記サブ基板の端部に延び、前記サブ基板の端部を係止する把持部とを備えていることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
また、この発明によれば、メイン基板及びサブ基板を覆うカバー部材の有無によらずに保持手段を設けることが可能となり、サブ基板の大きさも当該カバー部材によらず設定することができるため、メイン基板及びサブ基板の組合せの自由度が大幅に向上する。また、剛体部がコネクタの接続部分を跨るように設けられているため、振動等によってもコネクタからサブ基板が脱落することを確実に防止することができる。
本発明では、前記把持部は、前記メイン基板の法線方向における前記サブ基板の両端を把持することが好ましい。
本発明では、前記把持部は、前記回路素子実装面に沿った方向における前記サブ基板の両端を把持することが好ましい。
本発明では、前記サブ基板には、前記画像形成領域に表示させるキャラクタが記録されたメモリが実装されていることが好ましい。